(57)【特許請求の範囲】
【請求項１】
バスダクトの導体に電気的に接続される分岐用導体を内包する箱体と、該箱体の前記バスダクトへの取付け動作によって付勢力に抗して前記箱体に対する相対位置が変化する変位部材と、を有するバスダクトの分岐装置において、
前記変位部材の前記相対位置の変化に伴って前記箱体外部で移動することにより前記箱体外部からの視認状態が変化する表示部材を有することを特徴とするバスダクトの分岐装置。
【請求項２】
前記表示部材の前記箱体外部からの視認状態の変化は、
前記表示部材の、前記箱体外部に露出した状態から内部に収納された状態への移動又は前記内部に収納された状態から外部に露出した状態への移動によりもたらされることを特徴とする請求項１に記載のバスダクトの分岐装置。
【請求項３】
前記変位部材は、前記箱体のバスダクトへの取付け面において該箱体内部から箱体外部へと付勢されて一部が突出しており、
該変位部材の相対位置の変化は、前記変位部材の一部が前記バスダクトのハウジングに圧接されることによって該一部が前記付勢力に抗して前記箱体内に押し戻される動作であることを特徴とする請求項１又は２に記載のバスダクトの分岐装置。
【請求項４】
前記表示部材の前記箱体外部での移動は、前記箱体の前記バスダクトへの取付け面に対して略直交する面より箱体外部にて行われることを特徴とする請求項１〜３の何れか１項に記載のバスダクトの分岐装置。
【請求項５】
前記表示部材の前記移動は、
前記変位部材が前記箱体内に押し戻される動作に基づいて動かされて前記箱体の前記略直交する面から外部に視認可能に突出していた表示部材が内部に収納されることにより、又は前記箱体内部に収納されていた表示部材が外部に突出して前記箱体外部から視認可能とされることにより行われることを特徴とする請求項４に記載のバスダクト分岐装置。
【請求項６】
前記変位部材は、前記変位動作方向に所定間隔をもって配置された互いに対極となる２個の磁石を有し、且つ前記表示部材も磁石を有しており、
前記表示部材の前記移動は、前記変位部材の前記箱体内部への前記付勢力に抗した押し戻し動作によって生じた前記表示部材の磁石周囲の磁場の変化によってもたらされることを特徴とする請求項１〜５の何れか１項に記載のバスダクトの分岐装置。
【請求項７】
前記変位部材の側面には、前記表示部材が前記箱体外部へと突出する方向に向かって漸次高くなる弾性突起が設けられ、
前記表示部材の前記移動は、
前記変位部材の前記箱体内部への押し戻しに伴う前記表示部材の前記弾性突起との当接による前記箱体外部への突出方向への移動、又は
前記弾性突起に当接して前記箱体外部に突出していた表示部材の、前記変位部材の前記箱体内部への押し戻しに伴う前記弾性突起からの離反による前記箱体内部への収納方向への移動であることを特徴とする請求項１〜５の何れか１項に記載のバスダクトの分岐装置。
【請求項８】
前記表示部材の前記移動する距離が、前記表示部材の前記移動開始時における前記変位部材の位置から前記表示部材の前記移動終了時における前記変位部材の位置までの移動距離よりも長いことを特徴とする請求項１〜７の何れか１項に記載のバスダクトの分岐装置。
【請求項９】
前記箱体を前記バスダクトのハウジングに固定するための固定金具が該箱体に揺動可能に、且つ常態において前記表示部材の前記箱体外部への突出又は前記箱体内部への収納を可能とする貫通孔を覆うように取り付けられており、
該貫通孔が、前記箱体を前記バスダクトのハウジングに固定するための前記固定金具の揺動動作によって視認可能となることを特徴とする請求項１〜８の何れか１項に記載のバスダクトの分岐装置。
【発明の詳細な説明】
【技術分野】
【０００１】
本発明は、バスダクトの分岐装置に関し、特に、電気幹線路を構成するバスダクトに取り付けられて該電気幹線路からの分岐を可能とするバスダクトの分岐装置に関する。
【背景技術】
【０００２】
従来、高層ビルや工場等で電気幹線路として使用されるバスダクトから分岐を行う場合には、帯板状の導体を収容するハウジング内にこの導体の幅方向一端側から分岐用接触子を挿入し、導体の側面と分岐用の接触子を接触させて分岐を行うことが一般的である。
【０００３】
しかしながら、例えば、分岐用接触子を有する分岐装置をバスダクトに取り付ける際に、バスダクトのハウジングへの分岐装置の取り付けが不完全となって分岐用の接触子がハウジング内に中途半端に挿入される場合には、接触子とバスダクトの導体との接触面積が不足し、良好な分岐を行うことが出来なくなるおそれがある。
【０００４】
このような事態を回避するため、分岐用の接触子がハウジング内に十分に挿入されているか否か、すなわち、分岐用の接触子を有する分岐装置がバスダクトのハウジングに確実に取り付けられているか否かを確認するための技術が特許文献１及び特許文献２に開示されている。
【０００５】
具体的には、特許文献１には、断面視略矩形のバスダクト本体（ハウジング）内に３相の帯板状導体を収容するバスダクトに対し、その帯板状導体の幅方向一端側からバスダクト本体内に挿入されてこの帯板状導体を挟持するクリップ状の接触子を有する箱体として構成されたプラグイン器具（分岐装置）が開示されている。
【０００６】
このプラグイン器具は、基端がプラグイン器具の箱体内に収容され、先端が箱体内から箱体外へと付勢されて突出してクリップ状の電流分岐用接触子間に位置する表示棒（特許文献１の第１図参照）を有しており、接触子がハウジング内に挿入されて帯板状導体を挟持することでこの帯板状導体の幅方向端部に棒状体の先端が当接し、棒状体が付勢力に抗して分岐装置の箱体内に押し戻される。したがって、箱体内への表示棒の押し戻し量を確認することで、作業者はプラグイン器具がバスダクト本体に確実に取り付けられていることを把握することができる。
【０００７】
また、特許文献２には、複数の板状の導体を収納するバスダクトハウジングのプラグインホールに取り付けられたプラグイン器具が開示されている。このプラグイン器具は、図１２（特許文献２の図５に相当）に示すように、探針部材２５２が装着された挿入刃２５４と、バスダクトハウジング内の板状の導体（バスダクト本体側導体）２５６を挟持可能なクリップ状の接触子２５８と、を有している。
【０００８】
この接触子２５８がバスダクト本体側導体２５６を挟持した状態で探針部材２５２を構成する軸本体部２６０がバスダクト本体側導体２５６の上端に当接して図示上方（矢印９００方向）に持ちあげられて挿入刃２５４の上方から突出することで、軸本体部２６０に記されたマーキング２６０ａも挿入刃２５４の上方に露出する。
【０００９】
これにより、作業者はプラグイン器具がプラグインホールに確実に取り付けられていることを把握することができる。
【先行技術文献】
【特許文献】
【００１０】
【特許文献１】実開昭６３−１７９６７６号公報
【特許文献２】特開２０１０−２３９６７３号公報
【発明の概要】
【発明が解決しようとする課題】
【００１１】
しかし、特許文献１のプラグイン器具によれば、表示棒がプラグイン器具の箱体内に存在しているため、表示棒を確認してプラグイン器具が確実にバスダクト本体に取り付けられていることを把握するためにはプラグイン器具の箱体内を目視する必要がある。
【００１２】
さらに、導通状態のバスダクトにプラグイン器具を取り付ける場合、プラグイン器具の箱体を開けた状態で作業を行うことは箱体内の通電部が露出することとなり、作業に危険を伴う。
【００１３】
また、高層ビル等に既に敷設されている、プラグイン器具が取り付けられたバスダクトに対して、プラグイン器具が適切にバスダクト本体に取り付けられているか否かを点検する場合、プラグイン器具の箱体を開けて表示棒を確認するという作業が点検の度に発生することになる。
【００１４】
特許文献２についても、探針部材がプラグイン器具内に存在していることから、特許文献１同様にプラグイン器具がプラグインホールに確実に取り付けられているか否かを確認するためにプラグイン器具内を目視する必要があり、特許文献１が有する上記問題と同じ問題を抱えている。
【００１５】
本発明は、上記課題に鑑みてなされたものであり、その目的は、バスダクトの安全な分岐作業を可能とし、且つ確実にバスダクトに取り付けられたことを容易に確認することができるバスダクトの分岐装置を提供することにある。
【課題を解決するための手段】
【００１６】
上記目的を達成するための請求項１に記載の発明は、バスダクトの導体に電気的に接続される分岐用導体を内包する箱体と、該箱体の前記バスダクトへの取付け動作によって付勢力に抗して前記箱体に対する相対位置が変化する変位部材と、を有するバスダクトの分岐装置において、前記変位部材の前記相対位置の変化に伴って前記箱体外部で移動することにより前記箱体外部からの視認状態が変化する表示部材を有することを特徴とする。
【００１７】
この構成によれば、分岐用導体を内包する箱体のバスダクトへの取付け動作により、変位部材の前記箱体に対する相対位置が変化し、この表示部材の箱体に対する相対位置の変化に伴って表示部材が移動して箱体外部からの表示部材の視認状態が変化する。
【００１８】
したがって、あらかじめ分岐用導体を内包する箱体のバスダクトへの正規取付け位置状態における表示部材の視認状態を確認しておき、実際に箱体をバスダクトに取り付けた際に正規取付け位置状態における表示部材の視認状態と同じ視認状態であることを確認することで、分岐装置がバスダクトへの正規取付け位置状態にあることを箱体外部から判断可能となる。
【００１９】
したがって、電気幹線路からの分岐を行うに際して箱体を開ける必要がなく、通電状態であってもバスダクトの分岐作業を安全に行うことが可能となる。
【００２０】
また、電気幹線路からの分岐を行うに際して箱体を開ける必要がないので、箱体外部から表示部材の視認状態を確認することで、既に敷設されたバスダクトについてバスダクトの分岐装置のバスダクトへの取り付け状態の点検を行う場合も箱体を開けることなく容易に実施することが可能となる。
【００２１】
請求項２に記載の発明は、請求項１に記載のバスダクトの分岐装置において、前記表示部材の前記箱体外部からの視認状態の変化は、前記表示部材の、前記箱体外部に露出した状態から内部に収納された状態への移動又は前記内部に収納された状態から外部に露出した状態への移動によりもたらされることを特徴とする。
【００２２】
この構成によれば、分岐用導体を内包する箱体のバスダクトへの取付け動作により、変位部材の前記箱体に対する相対位置が変化し、変位部材の相対位置の変化に伴って表示部材が箱体外部に露出し、或いは当初箱体外部に露出していた表示部材が箱体の内部に収納されることで、分岐装置のバスダクトへの正規取付け位置状態が示されて箱体外部から視認可能に表示される。
【００２３】
したがって、電気幹線路からの分岐を行うに際して箱体を開ける必要がなく、通電状態であってもバスダクトの分岐作業を安全に行うことが可能となる。
【００２４】
また、電気幹線路からの分岐を行うに際して箱体を開ける必要がないので、そのぶん分岐作業が容易になると共に、箱体の外部に表示部材が露出しているか、或いは当初露出していた表示部材が箱体の内部に収納されているので、既に敷設されたバスダクトについてバスダクトの分岐装置のバスダクトへの取り付け状態の点検を行う場合も箱体を開けることなく容易に実施することが可能となる。
【００２５】
請求項３に記載の発明は、請求項１又は２に記載のバスダクトの分岐装置において、前記変位部材は、前記箱体のバスダクトへの取付け面において該箱体内部から箱体外部へと付勢されて一部が突出しており、該変位部材の相対位置の変化は、前記変位部材の一部が前記バスダクトのハウジングに圧接されることによって該一部が前記付勢力に抗して前記箱体内に押し戻される動作であることを特徴とする。
【００２６】
この構成によれば、箱体のバスダクトの取り付け面において箱体内部から箱体外部へと変位部材の一部が突出しているので、箱体のバスダクトへの取り付け動作と変位部材の一部のバスダクトのハウジングへの圧接動作を同時に行うことができ、より作業性の良い構成となっている。
【００２７】
請求項４に記載の発明は、請求項１〜３の何れか１項に記載のバスダクトの分岐装置において、前記表示部材の前記箱体外部での移動は、前記箱体の前記バスダクトへの取付け面に対して略直交する面より前記箱体外部にて行われることを特徴とする。
【００２８】
この構成によれば、バスダクトの分岐装置のバスダクトへの正規取り付け位置において表示部材はバスダクトへの取付け面に対して略直交する面にて箱体外部に移動して露出状態となるか、あるいはバスダクトへの取付け面に対して略直交する面にて当初露出していた表示部材が箱体の内部に収納される。一般に、バスダクトに取り付けられる分岐装置を目視する場合はバスダクトへの取付け面に対して略垂直方向に目視することが多いことから、この構成によれば、表示部材が目視方向に対して略垂直に箱体から露出し、表示部材の箱体外部への露出状況の確認が容易となる。
【００２９】
請求項５に記載の発明は、請求項４に記載のバスダクトの分岐装置において、前記表示部材の前記移動は、前記変位部材が前記箱体内に押し戻される動作に基づいて動かされて前記箱体の前記略直交する面から外部に視認可能に突出していた表示部材が内部に収納されることにより、或いは前記箱体内部に収納されていた表示部材が外部に突出して前記箱体外部から視認可能とされることにより行われることを特徴とする。
【００３０】
この構成によれば、表示部材が箱体内部から箱体外部に突出するか、あるいは当初箱体外部に突出していた表示部材が箱体内部に収納されるという極めて単純な構成で、バスダクトの分岐装置のバスダクトへの正規取り付け位置状態を確認することが可能となる。
【００３１】
請求項６に記載の発明は、請求項１〜５の何れか１項に記載のバスダクトの分岐装置において、前記変位部材は、前記変位動作方向に所定間隔をもって配置された互いに対極となる２個の磁石を有し、且つ前記表示部材も磁石を有しており、前記表示部材の前記移動は、前記変位部材の前記箱体内部への前記付勢力に抗した押し戻し動作によって生じた前記表示部材の磁石周囲の磁場の変化によってもたらされることを特徴とする。
【００３２】
この構成によれば、例えば、変位部材の一方の磁石と引き付け合っていた表示部材の磁石の周囲の磁場が、変位部材の押し戻しによって変位部材の他方の磁石と反発する磁場に変化し、或いは、変位部材の他方の磁石と反発しあっていた表示部材の磁石の周囲の磁場が変位部材の押し戻しによって変位部材の一方の磁石と引き付け合う磁場に変化する。
【００３３】
したがって、例えば、変位部材の押し戻しが完了した状態（すなわち、バスダクトの分岐装置はバスダクトへの正規取り付け位置にある）における変位部材の変位動作方向位置と表示部材の突出方向位置間でそれぞれ配置される磁石の位置を調整することで、変位部材の押し戻しが完了した状態で選択的に表示部材の磁石の磁場を変化させ、表示部材を選択的に突出させ、あるいは箱体内部に収納させるといった調整が可能となる。
【００３４】
請求項７に記載の発明は、請求項１〜５の何れか１項に記載のバスダクトの分岐装置において、前記変位部材の側面には、前記表示部材が前記箱体外部へと突出する方向に向かって漸次高くなる弾性突起が設けられ、前記表示部材の前記移動は、前記変位部材の前記箱体内部への押し戻しに伴う前記表示部材の前記弾性突起との当接による前記箱体外部への突出方向への移動、又は前記弾性突起に当接して前記箱体外部に突出していた表示部材の、前記変位部材の前記箱体内部への押し戻しに伴う前記弾性突起からの離反による前記箱体内部への収納方向への移動であることを特徴とする。
【００３５】
この構成によれば、変位部材の押し戻しに伴って表示部材が弾性突起上を滑り移動して表示部材がその箱体外部への突出方向又は箱体内部への収納方向に移動する。
【００３６】
その際、表示部材が突出する場合には、表示部材に当接する弾性突起は弾性変形しつつある段階で反発する挙動を示す。したがって、弾性突起の形状や弾性係数の調整により、例えば、変位部材の押し戻しが完了した状態で選択的に表示部材を箱体の外部に突出させるといった構成とすることも可能となる。
【００３７】
請求項８に記載の発明は、請求項１〜７の何れか１項に記載のバスダクトの分岐装置において、前記表示部材の前記移動する距離が、前記表示部材の前記移動開始時における前記変位部材の位置から前記表示部材の前記移動終了時における前記変位部材の位置までの移動距離よりも長いことを特徴とする。
【００３８】
この構成によれば、変位部材の移動距離よりも表示部材の移動する距離を大きくとることができるので、変位部材の移動距離が小さい場合であっても表示部材の移動する距離を大きくとることで、表示部材の視認性を高めることが可能となる。
【００３９】
請求項９に記載の発明は、請求項１〜８の何れか１項に記載のバスダクトの分岐装置において、前記箱体を前記バスダクトのハウジングに固定するための固定金具が該箱体に揺動可能に、且つ常態において前記表示部材の前記箱体外部への突出又は前記箱体内部への収納を可能とする貫通孔を覆うように取り付けられており、該貫通孔が、前記箱体を前記バスダクトのハウジングに固定するための前記固定金具の揺動動作によって視認可能となることを特徴とする。
【００４０】
この構成によれば、表示部材の箱体外部への突出又は箱体内部への収納を可能とする貫通孔が常態、すなわち、分岐装置がバスダクトに取り付けられる前は固定金具によって覆われているため、貫通孔を挿通する表示部材が固定金具によって守られた状態となっており、外力による変形等を未然に防止することができる。また、箱体をバスダクトのハウジングに固定するために固定金具を揺動させたときに貫通孔が視認可能となるので、固定金具を固定する作業者の注意を当該貫通孔を挿通する表示部材に引き付けることができ、作業時の表示部材の確認忘れの防止につながるものとなっている。
【発明の効果】
【００４１】
本発明によれば、分岐装置のバスダクトへの正規取り付け位置状態において付勢力に抗して箱体に対する変位部材の相対位置が変化し、この変化に伴って表示部材が移動して表示部材の箱体外部からの視認状態が変化する。
【００４２】
したがって、あらかじめ分岐用導体を内包する箱体のバスダクトへの正規取付け位置状態における表示部材の視認状態を確認しておき、実際に箱体をバスダクトに取り付けた際に正規取付け位置状態における表示部材の視認状態と同じ表示状態であるかを確認することで、分岐装置がバスダクトへの正規取付け位置状態にあることを箱体外部から判断可能となる。
【００４３】
よって、バスダクトから分岐を行うに際して箱体を開ける必要がなく、通電状態であってもバスダクトの分岐作業を安全に行うことが可能であり、分岐作業自体も容易になり、また、既に敷設されたバスダクトについてバスダクトの分岐装置のバスダクトへの取り付け状態の点検を行う作業も容易に実施することができる。
【図面の簡単な説明】
【００４４】
【図１】本発明の第１実施の形態に係る分岐装置１０を示す側面図である。
【図２】図１のＡ部を拡大した縦断面図である。
【図３】（ａ）本実施の形態に係る分岐装置１０が取り付けられるバスダクト１００の平面図、（ｂ）側面図、及び（ｃ）同図（ａ）のＩＩＩｃ−ＩＩＩｃ線断面図である。
【図４】（ａ）本実施の形態に係る分岐装置１０をバスダクト１００の上部に配置した状態を示す側面図、（ｂ）バスダクト１００の係止孔１４２ｂに分岐装置１０の係止部材２６を係止した状態を示す側面図、（ｃ）バスダクト１００に分岐装置１０を回動させて取り付けた状態を示す側面図、及び（ｄ）バスダクト１００に分岐装置１０を取り付けた状態を示す側面図である。
【図５】図４のＢ部の拡大図であって、（ａ）係止部材２６を係止孔１４２ｂに係止した状態を示す一部拡大省略図、（ｂ）変位部材５５の一端５５ａが接続上下板に当接した状態を示す一部拡大省略図、（ｃ）変位部材５５がバネ部材５２の付勢力に抗して押し戻され始める状態を示す一部拡大省略図、及び（ｄ）分岐装置１０のバスダクト１００への正規取り付け位置状態を示す一部拡大省略図である。
【図６】（ａ）本実施の形態に係る正規取り付け位置状態表示機構５０を示す正面模式図、（ｂ−１）側面模式図、（ｂ−２）表示部材６０が動作を開始する際の正規取り付け位置状態表示機構５０を示す側面模式図、及び（ｂ−３）表示部材６０が箱体１２から突出した際の正規取り付け位置状態表示機構５０を示す側面模式図である。
【図７】（ａ）本発明の第１実施の形態の変形例に係る正規取り付け位置状態表示機構１８０を示す正面模式図、（ｂ−１）側面模式図、（ｂ−２）表示部材６０が動作を開始する際の正規取り付け位置状態表示機構１８０を示す側面模式図、及び（ｂ−３）表示部材６０が箱体１２内部に収納された際の正規取り付け位置状態表示機構１８０を示す側面模式図である。
【図８】（ａ）本発明の第２実施の形態に係る正規取り付け位置状態表示機構８０を示す要部拡大縦断面図、（ｂ）表示部材８４が動作を開始する際の正規取り付け位置状態表示機構８０を示す要部拡大縦断面図、及び（ｃ）表示部材８４が箱体１２から突出した際の正規取り付け位置状態表示機構８０を示す要部拡大縦断面図である。
【図９】（ａ）本発明の第２実施の形態の変形例に係る正規取り付け位置状態表示機構２１０を示す要部拡大縦断面図、（ｂ）表示部材８４が動作を開始する際の正規取り付け位置状態表示機構２１０を示す要部拡大縦断面図、及び（ｃ）表示部材８４が箱体１２から突出した際の正規取り付け位置状態表示機構２１０を示す要部拡大縦断面図である。
【図１０】（ａ）変形例に係る分岐装置１６０を空気絶縁バスダクト２００の上部に配置した状態を示す正面図、（ｂ）分岐装置１６０を空気絶縁バスダクト２００に取り付ける途中の状態を示す正面図、及び（ｃ）分岐装置１６０の空気絶縁バスダクト２００への正規取り付け位置状態を示す正面図である。
【図１１】（ａ）表示部材６０の第１変形例を示す正面図及び側面図、（ｂ）表示部材６０の第２変形例を示す正面図及び側面図、並びに（ｃ）表示部材６０の第３変形例を示す正面図及び側面図である。
【図１２】従来の、バスダクトハウジングのプラグインホールへのプラグイン器具の取り付けの確認機構を説明するための図である。
【発明を実施するための形態】
【００４５】
以下、本発明のバスダクトの分岐装置（以下、単に分岐装置という）について図面に沿って説明するが、本発明にかかる実施の形態に限定されるものではなく、それぞれ実施の形態を部分的に組み合わせる、不要箇所を削除するなど本発明の要旨の範囲内で適用可能である。
【００４６】
（第１実施の形態）
図１から図６は、本発明の第１実施の形態に係る分岐装置１０を示し、図１は本実施の形態に係る分岐装置１０の側面図、図２は図１のＡ部を拡大した縦断面図、図３は分岐装置１０が取り付けられるバスダクト１００を示す図、図４は分岐装置１０のバスダクト１００への取り付け動作を説明する図、図５は変位部材５５及び表示部材６０の動作を説明する一部拡大省略図、及び図６は正規取り付け位置状態表示機構５０の動作を説明する模式図である。
【００４７】
図１に示すように、分岐装置１０は、電気幹線路を構成する後述するバスダクト１００に取り付けられて分岐を可能とする装置であり、分岐を行うための分岐用導体を内包する箱体１２を有する。
【００４８】
箱体１２は、略直方体の基本構成を有し、底面（後述するバスダクト１００のハウジングへの取付け面）１４から周壁である前壁１６、後壁１８及び対向する側壁２０，２２が立設し、上面に開閉可能な蓋体２４が設けられている。
【００４９】
底面１４の前壁１６近傍における両側壁２０，２２寄り位置には、バスダクト１００の後述する係止孔１４２ｂに挿入されて箱体１２をバスダクト１００に係止させる係止部材２６，２６がそれぞれ設けられており、底面１４の後壁１８近傍における両側壁２０，２２寄り位置には、バスダクト１００に箱体１２を係止固定するための係止固定部材２８がそれぞれ設けられている。
【００５０】
本実施の形態においては、係止部材２６はバスダクト１００の係止孔１４２ｂに引掛けられるフック形状を有し、該引掛け状態でバスダクト１００と箱体１２の前方部分を係止する係止部材であり、係止固定部材２８は、図示しないが、底面１４よりも下方に突出しつつ幅方向内方に付勢された爪部がバスダクト１００を幅方向両側から挟持して固定する部材である。
【００５１】
前壁１６の下部には、箱体１２をバスダクト１００に対してボルトナットにより挟持部材で挟持固定するための一次側固定部材３０がヒンジ１６ａを介して揺動可能に取り付けられている。なお、取付け前においては、一次側固定部材３０は取っ手３２に結束バンド等からなるワイヤ３４によって揺動不能に固定されている。
【００５２】
後壁１８の下部には、箱体１２をバスダクト１００に対してボルトナットにより挟持部材で挟持固定するための二次側固定部材３６が設けられている。
【００５３】
箱体１２内には、係止部材２６より後方且つ両側壁２０，２２の間の位置において箱体１２の底部１４から箱体１２外部へと突出する３相の分岐用端子４２が設けられており、分岐用端子４２は箱体１２内において絶縁性のホルダ４４で保持されており、基端部分が屈曲して端子台の役割を果たしている。
【００５４】
分岐用端子４２の基端部分は、同じく箱体１２内に在る導体４６によって遮断器４８と電気的に接続されており、遮断器４８は、スイッチ４８ａのみが蓋体２４に設けられた開口部２４ａから箱体１２外部に露出する。尚、スイッチ４８ａをＯＦＦとすると分岐装置１０内の電気的な接続が遮断され、スイッチ４８ａをＯＮとすると分岐装置１０内の電気的な接続が維持される。
【００５５】
さらに、図においては省略するが、導体４６から遮断器４８を介して箱体１２の外部の他の機器へと電気を供給可能とする構成となっている。したがって、箱体１２に内包される分岐用導体とは、上記分岐用端子４２の一部、導体４６、遮断器４８を含む概念ということができる。
【００５６】
なお、分岐用端子４２と同じ箱体１２における前後方向位置において、分岐用端子４２の先端４２ａを側方から覆う板部材であるガイド部材２１，２３が、側壁２０，２２にそれぞれ取り付けられている。さらに、箱体１２の前端側には、図１の上下方向に延在する棒状の変位部材５５と、この変位部材５５に対して略直交して図１の前後方向に延在する棒状の表示部材６０とを主な構成部材として含む、分岐装置１０のバスダクト１００への正規取り付け位置状態表示機構５０（以下、単に正規取付け位置状態表示機構５０と記す）が設けられている。
【００５７】
正規取付け位置状態表示機構５０は、図２に示すように、後面が開口する矩形の箱状体からなる本体部５１と、本体部５１内において表示部材６０を図示左右方向に摺動可能に収納する四角筒状のシリンダ部材５３と、上記変位部材５５及び表示部材６０を含む。
【００５８】
変位部材５５は、一端５５ａ側に平面視円形の鍔部５５ｂを有し、本体部５１の上方の支持板部５６及び下方の支持板部５７の挿通孔（それぞれ、挿通孔５６ａ及び挿通孔５７ａ）に基端５５ｂ側が挿通されると共に、支持板部５７及び鍔部５５ｂ間にバネ部材５２を介在させることで一端５５ａが底面１４（すなわち、バスダクト１００への取付け面）において箱体１２内部から箱体１２外部へと付勢されて突出している。
【００５９】
変位部材５５は、上記のように箱体１２に固定された状態で、変位部材５５の延在方向に並べて配置された２個の磁石（図示上方から、第２磁石５９ａ、第３磁石５９ｂ）が支持板部５６及び支持板部５７の範囲で上下に移動可能であるように配置されている。
【００６０】
表示部材６０は、シリンダ部材５３に各側面が摺接する四角柱状のプランジャ部６１とプランジャ部６１よりも小さい四角柱状の断面視形状を有する棒状部６２とを有し、棒状部６２は、シリンダ部材５３の前部に穿設された孔部５３ａ、並びに本体部５１の底板５８及び前壁１６を貫通する貫通孔５８ａを挿通可能な長さを有する。
【００６１】
表示部材６０の基端６０ｂ、すなわち、プランジャ部６１の後部には、第１磁石６１ａが取り付けられている。
【００６２】
図２及び図６（ｂ−１）に示すように、表示部材６０が先端６０ａからシリンダ部材５３内に挿通された状態で、表示部材６０に取り付けられた第１磁石６１ａのＮ極が変位部材５５の第２磁石５９ａのＳ極と対向し、磁力で互いに引き合っている。このとき、表示部材６０の先端６０ａは貫通孔５８ａ上にある。
【００６３】
分岐装置１０が取り付けられる本実施の形態に係るバスダクト１００は、図３に示すように、その一単位となるバスダクトユニット１１０相互を接続ユニット１３０を介して接続してなる構成を有する。
【００６４】
バスダクトユニット１１０は、図３（ｃ）に示すように、絶縁物１１２によって絶縁被覆された３相の絶縁被覆された帯状の導体１１４が厚さ方向に並べて密着して配置され、この導体１１４の幅方向両端部側にスペーサ１１６が配置されており、絶縁被覆された導体１１４及びスペーサ１１６を断面略コ字形の側板１１８で一括して挟持し、側板１１８に挿通したボルト１２０及びナット１２２等の締着具を緊締して固定されている。
【００６５】
接続ユニット１３０は、図３（ａ）及び（ｂ）に示すように、接続すべきバスダクトユニット１１０同士の同相の導体１１４を電気的に接続する板状の導電性接続部材１３２を有しており、異相の各導体（導電性接続部材１３２を含む）は絶縁セパレータ１３４によって絶縁されている。尚、絶縁セパレータ１３４は、最外側の導体（導電性接続部材１３２を含む）と接続側板１３６も絶縁する。接続側板１３６は、図３（ａ）に示すように、接続ユニット１３０の両側部を覆う２枚１組の板材であって、接続側板１３６の厚さ方向外方には、押圧部材１３８が配置されており、導電性接続部材１３２、絶縁セパレータ１３４、接続側板１３６及び押圧部材１３８は、図示省略した絶縁スリーブに挿通してなる接続用締着具で緊締してバスダクトユニット１１０が相互に接続される。
【００６６】
接続ユニット１３０の上下面は、接続側板１３６の上端間及び下端間にそれぞれ架け渡される接続上下板１４２によって覆われており、接続上下板１４２には、分岐装置１０の分岐用端子４２が挿入可能な略矩形の開口部１４２ａ及び分岐装置１０の係止部材２６を係止可能な係止孔１４２ｂが設けられている。また、接続用締着具はボルト１４６、ナット１４８及び座金１５０が用いられており、バスダクトユニット１１０同士の接続前には、接続用締着具によって仮締着した状態でバスダクトユニット１１０はユニット化されている。
【００６７】
接続ユニット１３０でバスダクトユニット１１０を接続してバスダクト１００を構成する場合、接続すべきバスダクトユニット１１０の導体１１４を同相の導電性接続部材１３２間に挿入し、バスダクトユニット１１０の側板１１８と接続側板１３６とを締着具（ボルト及びナット等）で固定する。その後、仮締着している上記接続用締着具を緊締し、さらに接続ユニット１３０の上下面に上記接続上下板１４２を配置してバスダクトユニット１１０にビス止め等により固定することで接続が完了する。尚、接続上下板１４２，１４２及び接続側板１３６，１３６によって構成される断面視略矩形の構造体は、バスダクト１００の導体（導電性接続部材１３２含む）を覆うハウジングということができる。
【００６８】
次に、上記バスダクト１００から本実施の形態に係る分岐装置１０を用いて分岐を行う操作を、図４を参照して説明する。
【００６９】
まず、図４（ａ）に示すように、バスダクト１００の上面（接続上下板１４２の上面並びにスペーサ１１６及び側板１１８の上面）と分岐装置１０の底面１４（バスダクト１００のハウジングへの取付け面）とを、分岐装置１０の前端側を図示下方に傾斜させた状態で対向配置する。次に、図４（ｂ）に示すように、この傾斜状態を保ったまま、接続上下板１４２の係止孔１４２ｂに分岐装置１０の係止部材２６を挿入し、分岐装置１０の前端側を接続ユニット１３０に係止させる。
【００７０】
次に、傾斜した状態の分岐装置１０を、係止孔１４２ｂに係止された係止部材２６を軸として箱体１２の底面１４の略全面がバスダクト１００の上面とほぼ接する状態となるまで矢印３００方向に回動させ、図４（ｃ）に示すように、その状態で係止固定部材２８の図示しない爪部をバスダクトユニット１１０の側板１１８の側端部１１８ａ（図３（ｃ）参照）に係合させ、係止固定部材２８によってバスダクト１００を幅方向両側から挟持して分岐装置１０及びバスダクト１００を結合させる。
【００７１】
最後に、図４（ｄ）に示すように、ワイヤ３４を取り除き、一次側固定部材３０をヒンジ１６ａを軸として矢印４００方向に回動させてバスダクト１００にボルトナットにより挟持部材で挟持固定し、二次側固定部材３６を側板１１８にボルトナットにより挟持部材で挟持固定する。
【００７２】
上記の如く分岐装置１０をバスダクト１００に固定して取り付けた状態で、分岐装置１０の分岐用端子４２の先端４２ａ側は接続上下板１４２の開口部１４２ａを挿通して接続ユニット１３０の導電性接続部材１３２と適切な接触面積を有して接触し、分岐用端子４２とバスダクト１００の導体とが電気的に接続された状態となる。
【００７３】
次に、バスダクト１００への箱体１２の、すなわち、分岐装置１０の取り付けに伴う正規取付け位置状態表示機構５０の動作を説明する。
【００７４】
図４（ｂ）に示すように、接続上下板１４２の係止孔１４２ｂに分岐装置１０の係止部材２６を挿入し、分岐装置１０の前端側を接続ユニット１３０に係止させた状態では、図５（ａ）に示すように、変位部材５５の一端５５ａはバスダクト１００の上面に接していない。この状態では、図６（ｂ−１）に示すように、変位部材５５が有する第２磁石５９ａのＳ極と表示部材６０の第１磁石６１ａのＮ極とが対向し、磁力で互いに引き合っている。このとき、表示部材６０の先端６０ａは貫通孔５８ａ上にあり、分岐装置１０の前壁１６から突出していない。
【００７５】
次に、前端を下方に傾斜させた状態の分岐装置１０を、係止孔１４２ｂに係止された係止部材２６を軸として箱体１２の後端側を下方へと回動させると変位部材５５の一端５５ａが接続ユニット１３０の接続上下板１４２に接触し（図５（ｂ）参照）、さらに箱体１２の後端側を下方へと回動させると、図５（ｃ）に示すように、変位部材５５がバネ部材５２の付勢力に抗して図示上方（矢印５００方向）へと押し戻される。尚、図５（ｃ）の状態では、図６（ｂ−２）に示すように、表示部材６０の第１磁石６１ａのＮ極は変位部材５５の第２磁石５９ａのＳ極とは対向しておらず、上記引き寄せの磁力から開放された表示部材６０はその先端６０ａ方向への移動を開始する。
【００７６】
さらに箱体１２の後端側を下方へと回動させて箱体１２の底面１４の略全面がバスダクト１００の上面とほぼ接する状態（すなわち、正規取付け位置状態）とすると、図５（ｄ）及び図６（ｂ−３）に示すように、変位部材５５がさらに上方（矢印５００方向）に移動し、変位部材５５の第３磁石５９ｂが表示部材６０の第１磁石６１ａに対して対向する。第３磁石５９ｂは表示部材６０側がＮ極となるように変位部材５５に設けられているので、Ｎ極を変位部材５５側に向けて配置された表示部材６０の第１磁石６１ａとは反発する。この反発力により、表示部材６０は先端６０ａ側（矢印６００方向）へと大きく移動し、先端６０ａは箱体１２の前壁１６から箱体１２外部へと突出する。
【００７７】
表示部材６０の先端６０ａの箱体１２外部への突出は、図４（ｃ）に示すように、一次側固定部材３０に隠れて見えない状態となっているが、図４（ｄ）に示すように、一次側固定部材３０による分岐装置１０のバスダクト１００への固定動作に伴う一次側固定部材３０の回動により視認可能となる。尚、分岐装置１０をバスダクト１００から取り外すと、正規取付け位置状態表示機構５０では、図５（ｄ）→同図（ｃ）→同図（ｂ）→同図（ａ）に示すように、変位部材５５はバネ部材５２の付勢力によって図示下方へと移動し、表示部材６０の第１磁石６１ａのＮ極が変位部材５５の第２磁石５９ａのＳ極に引き寄せられて先端６０ａは貫通孔５８ａに引っ込む。
【００７８】
したがって、本実施の形態に係る分岐装置１０によれば、分岐用導体を内包する箱体１２のバスダクト１００への取付け動作により、変位部材５５の箱体１２に対する相対位置が変化し、変位部材５５の相対位置の変化に伴って表示部材６０が箱体１２外部に露出してその視認状態が変化し、表示部材６０が箱体外部から視認可能に表示される。これにより、分岐装置１０のバスダクト１００への正規取付け位置状態が示される。
【００７９】
したがって、電気幹線路（バスダクト１００）からの分岐を行うに際して箱体を開ける必要がなく、通電状態であってもバスダクト１００の分岐作業を安全に行うことが可能となる。また、電気幹線路からの分岐を行うに際して箱体１２を開ける必要がないので、そのぶん分岐作業が容易になると共に、箱体１２の外部に表示部材６０が露出しているので、既に敷設されたバスダクト１００について分岐装置１０のバスダクト１００への取り付け状態の点検を行う場合も箱体１２を開けることなく容易に実施することが可能となる。
【００８０】
そして、箱体１２のバスダクト１００への取り付け面（底面１４）において箱体１２内部から箱体１２外部へと変位部材５５の一端５５ａ（一部）が突出しているので、箱体１２のバスダクト１００への取り付け動作と変位部材５５の一端５５ａのバスダクト１００のハウジングへの圧接動作を同時に行うことができ、より作業性の良い構成となっている。
【００８１】
さらに、分岐装置１０のバスダクト１００への正規取り付け位置において表示部材６０は底面１４（バスダクトへの取り付け面）に対して略直交する面である前壁１６前面にて箱体１２外部に露出する。
【００８２】
一般に、バスダクトに取り付けられる分岐装置を目視する場合はバスダクトへの取付け面に対して略垂直方向に目視することが多いことから、この構成によれば、表示部材６０が目視方向に対して略垂直に箱体１２から露出し、表示部材６０の箱体１２外部への露出状況の確認が容易となる。
【００８３】
さらに、表示部材６０の露出は、変位部材５５が箱体１２内に押し戻される動作に基づいて動かされて表示部材６０が箱体１２外部に突出することから、極めて単純な構成で分岐装置１０のバスダクト１００への正規取り付け位置状態を確認することが可能となる。
【００８４】
また、変位部材５５の第２磁石５９ａのＳ極と引き付け合っていた表示部材６０の第１磁石６１ａの周囲の磁場が、変位部材５５の付勢力に抗した押し戻しによって変位部材５５の第３磁石５９ｂのＮ極と反発する磁場に変化する。
【００８５】
したがって、変位部材５５の押し戻しが完了した状態（すなわち、分岐装置１０はバスダクト１００への正規取り付け位置にある）における変位部材５５の変位動作方向位置（すなわち、長手方向位置）間でそれぞれ配置される磁石の位置を調整することで、変位部材５５の押し戻しが完了した状態で選択的に表示部材６０の第１磁石６１ａの磁場を変化させ、そのタイミングで表示部材６０を選択的に前壁１６から突出させるといった調整が可能となる。
【００８６】
さらに、第２磁石５９ａ及び第３磁石５９ｂ間の距離並びに表示部材の棒状部６２及びプランジャ部６１の長手方向長さを調整することで、変位部材５５における表示部材６０の移動開始から終了までの移動距離Ｂ（図６（ｂ−３）参照）よりも表示部材６０の移動距離Ａ（同図参照）を大きくとるように設定されている。したがって、表示部材６０の先端６０ａの箱体１２外部への突出量が大きく、目立つ（視認性が高い）正規取り付け位置状態表示機構５０を提供することが可能となっている。換言すれば、確実に分岐装置１０を取り付けた状態の時に、表示部材６０が大きく突出する。尚、表示部材６０が突出しない時は、表示部材６０の先端６０ａが箱体１２の前壁１６に対して面一となっているか、僅かに箱体１２内部に位置するようになっていると好適である。
【００８７】
そのうえ、分岐装置１０がバスダクト１００に取り付けられる前、すなわち、常態においては表示部材６０の突出を可能とする貫通孔５８ａが１次側固定部材３０（固定金具）に覆われているため、表示部材６０の先端６０ａが１次側固定部材３０（固定金具）に隠れている。
【００８８】
このため、表示部材６０が１次側固定部材３０によって守られた状態となっており、外力による変形等を未然に防止することができる。また、箱体１２をバスダクト１００に固定するために１次側固定部材３０（固定金具）を揺動させたときに表示部材６０の先端６０ａが視認可能となるので、１次側固定部材３０を固定する作業者の注意を当該表示部材６０の先端６０ａに引き付けることができ、作業時の表示部材６０の確認忘れの防止につながるものとなっている。
【００８９】
また、正規取付け位置状態表示機構５０はユニット化されているため、分岐装置１０内に組み込む作業も容易である。
【００９０】
さらに、本実施の形態では、図６（ｂ−１）〜（ｂ−３）から明らかなように、第２磁石５９ａ及び第３磁石５９ｂを変位部材５５に対して、第１磁石６１ａ側から取り付けるようになっているが、第２磁石のみ逆側（すなわち、変位部材５５の図示右側の側面）から取り付けると好適である。これによれば、変位部材の図示左側の側面に第２磁石を取り付けた場合のように、第１磁石６１ａのＮ極と第２磁石５９ａのＳ極が引き合う力によって第２磁石が変位部材から外れてしまうという不具合を未然に防止することが可能となる。
【００９１】
同様に、第１磁石６１ａ、第２磁石５９ａ及び第３磁石５９ｂに関し、第１磁石６１ａを表示部材６０における図６（ａ）の左右方向の側面に設け、第２磁石５９ａ及び第３磁石５９ｂを変位部材５５における図６（ａ）の左右方向の側面に設ける構成としてもよい。この構成によっても、磁石同士が引き付け合うことによって磁石がその取り付けられた部材から脱離するという不具合を未然に防止することができる。
【００９２】
なお、本実施の形態では、変位部材５５の箱体１２内部への移動（図５（ｄ）における矢印５００方向への移動）に伴って表示部材６０は箱体１２外部へと突出する構成となっているが、これに限定されるものではなく、別の構成を採用することも可能である。
【００９３】
以下に、分岐装置１０の正規取付け位置状態表示機構の構成を変更し、変位部材の箱体内部への移動に伴って当初外部に突出していた表示部材が内部に収納されることとした正規取付け位置状態表示機構の変形例に係る分岐装置１０を、図７を参照して説明する。図７において、上述の図１〜図６に示した実施の形態と同様の要素には、同一の符号を付しその説明を省略する。図７は、第１実施の形態の変形例に係る正規取付け位置状態表示機構１８０の動作を説明する模式図である。
【００９４】
本変形例に係る正規取付け位置状態表示機構１８０の、上記実施の形態に係る正規取付け位置状態表示機構５０と比較した主な変更点は、第２磁石および第３磁石の変位部材５５への配置にある。
【００９５】
すなわち、図７（ｂ−１）に示すように、本変形例においては、第２磁石５９ａ−１は、図示右側にＳ極及び図示左側にＮ極が位置するように変位部材５５の図示左側の側面に取り付けられている。
【００９６】
また、第３磁石５９ｂ−１は、同図に示すように、図示左側にＳ極及び図示右側にＮ極が位置するように変位部材５５の図示右側の側面に取り付けられている。
【００９７】
したがって、変位部材５５がバネ部材５２の付勢力に従って箱体１２内部から外部へと大きく突出した状態においては、図７（ｂ−１）に示すように、変位部材５５が有する第２磁石５９ａ−１のＮ極と表示部材６０の第１磁石６１ａのＮ極とが対向し、磁力で互いに反発しあっている。この反発力により、表示部材６０は図示左方向へと移動し、先端６０ａが貫通孔５８ａを挿通し、箱体１２の前壁１６から箱体１２外部へと突出した状態にある。
【００９８】
次に、バスダクト１００への箱体１２の、すなわち、分岐装置１０の取付けに伴う正規取付け位置状態表示機構１８０の動作を説明する。
【００９９】
分岐装置１０の取付け操作は、図４に示すように、上記実施の形態と同様に行われ、分岐装置１０のバスダクト１００への取付けに伴い、変位部材５５の一端５５ａが接続ユニット１３０の接続の接続上下板１４２に接触し（図５（ｂ）参照）、変位部材５５がバネ部材５２の付勢力に抗して図５（ｃ）の図示上方（矢印５００方向）へと押し戻される。この状態の変位部材５５と表示部材６０の位置関係は、図７（ｂ−２）に示される。
【０１００】
さらに分岐装置１０のバスダクト１００への取付け操作が進むと、箱体１２の底面１４の略全面がバスダクト１００の上面とほぼ接する状態となり、図５（ｄ）及び図７（ｂ−３）に示すように、変位部材５５がさらに上方（図７（ｂ−３）の矢印６５０方向）に移動し、変位部材５５の第３磁石５９ｂ−１が表示部材６０の第１磁石６１ａに対して対向する。すると、第３磁石５９ｂ−１は表示部材６０側がＳ極となるように変位部材５５に設けられているので、Ｎ極を変位部材５５側に向けて配置された表示部材６０の第１磁石６１ａとは引き合う。この引き合う力により、表示部材６０は箱体１２の内部に収納される方向へと大きく移動して貫通孔５８ａ内に引っ込み、先端６０ａは箱体１２内部へと収納される。
【０１０１】
本変形例にかかる正規取付け位置状態表示機構１８０を有する分岐装置１０によれば、分岐用導体を内包する箱体１２のバスダクト１００への取付け動作により、変位部材５５の箱体１２に対する相対位置が変化し、変位部材５５の相対位置の変化に伴って当初箱体１２外部に露出していた表示部材６０が箱体１２の内部に収納されることで、分岐装置１０のバスダクト１００への正規取付け位置状態を示すことができる。
また、図６（ｂ−１）の図示左側にＳ極および図示右側にＮ極が位置するように変位部材５５の図示左側の側面に第２磁石５９ａが取り付けられた第１実施の形態に係る正規取付け位置状態表示機構５０によれば、第１磁石６１ａのＮ極と第２磁石５９ａのＳ極の互いに引きつけ合う磁力により、第２磁石５９ａが変位部材５５から脱落することが懸念された。
【０１０２】
また、本変形例において、仮に図７（ｂ−１）の図示左側にＳ極および図示右側にＮ極が位置するように、変位部材５５の図示左側の側面に第３磁石を取り付けるとすると、変位部材５５の変位による第１磁石６１ａ周囲の磁場の変化に伴って、第３磁石が脱落することが懸念された。
【０１０３】
しかし、本変形例にかかる正規取付け位置状態表示機構１８０によれば、図７（ｂ−１）に示すように、第２磁石５９ａ−１は、図示右側にＳ極及び図示左側にＮ極が位置するように変位部材５５の図示左側の側面に取り付けられているので、常態、すなわち、変位部材５５の一端５５ａがバスダクト１００に当接していない状態において、第１磁石６１ａと第２磁石５９ａ−１は互いのＮ極が対向して磁力で反発し合うこととなり、第２磁石５９ａ−１の脱落の問題が解消されている。
【０１０４】
また、変位部材５５の一端５５ａがバスダクト１００に対して当接して図７の上方に移動し、図７（ｂ−３）に示すように、第１磁石６１ａと第３磁石５９ｂ−１が対向した場合には、第１磁石６１ａのＮ極と第３磁石５９ｂ−１のＳ極との間に引きつけ合う磁場が発生するものの、第３磁石５９ｂ−１は変位部材５５の図示右側の側面に取り付けられているので、かかる磁場の変化による第３磁石５９ｂ−１の脱落が防止される。
【０１０５】
したがって、本変形例にかかる正規取付け位置状態表示機構１８０によれば、第１磁石６１ａとの間で発生する磁場に起因して第２磁石５９ａ−１および第３磁石５９ｂ−１が変位部材５５から脱落するおそれが未然に防止されている。
【０１０６】
なお、分岐装置１０をバスダクト１００から取り外すと、変位部材５５はバネ部材５２の付勢力によって図７（ｂ−３）の図示下方（矢印６５０の逆方向）へと移動し、表示部材６０の第１磁石６１ａのＮ極が変位部材５５の第２磁石５９ａ−１のＮ極に対して反発して先端６０ａは再び貫通孔５８ａを挿通し、箱体１２外部へと突出する。
【０１０７】
また、本実施の形態では、正規取付け位置状態表示機構として表示部材及び変位部材にそれぞれ設けた磁石による磁場の変化を利用する機構を採用しているが、これに限定されるものではなく別の構成を採用することも可能である。
【０１０８】
（第２実施の形態）
以下に、正規取付け位置状態表示機構の構成を変更した分岐装置７０を、図８に基づいて説明する。図８において上述の図１〜図７に示した実施の形態と同様の要素には、同一の符号を付しその説明を省略する。図８は、第２実施の形態に係る正規取り付け位置状態表示機構８０を示す分岐装置７０の要部拡大縦断面図である。
【０１０９】
図８（ａ）に示すように、正規取付け位置状態表示機構８０は、断面ハット型の本体部８２と、本体部８２に対して挿通可能に取り付けられた表示部材８４と、を有する。
【０１１０】
本体部８２は、前壁１６に対してフランジ部８２ａによって接合されており、表示部材８４を挿通させる挿通孔８２ｂを有する。
【０１１１】
表示部材８４は、基端８４ａ側に平面視略円形の鍔部８４ｂを有する棒状形状を有し、前壁１６に接合されて突出孔８６ａが穿設された突出板８６の突出孔８６ａから先端８４ｃを突出させるとともに、鍔部８４ｂより基端８４ａ側が挿通孔８２ｂより後方に突出させるようにして本体部８２に支持されている。尚、突出板８６と鍔部８４ｂとの間にはバネ材８８が設けられており、したがって、表示部材８４は箱体１２内方（図示右方向）へと付勢されている。
【０１１２】
また、正規取付け位置状態表示機構８０は、棒状の変位部材９０と、断面視略Ｌ字形であって短壁９２ａが前壁１６に固定され、長壁９２ｂが後方に延在して長壁９２ｂに穿設された挿通孔９２ｃに変位部材９０を挿通させて支持する支持材９２と、を有する。
【０１１３】
変位部材９０は、一端９０ａ側に鍔部９０ｂを有し、鍔部９０ｂよりも一端９０ａ側が箱体１２の底面１４から箱体１２外部へと突出する。鍔部９０ｂと支持材９２の長壁９２ｂとの間にはバネ材９４が設けられており、変位部材９０を箱体１２外部方向（図示下方）へと付勢している。したがって、表示部材８４と変位部材９０は、図示のように、互いに直交する方向に延在している。
【０１１４】
また、変位部材９０における支持材９２よりも上方側において、断面視略Ｕ字状の板バネ９６が、湾曲した突出部９６ａを箱体１２前方（図示左方向）に向けて端部９６ｂ，９６ｃにおいて変位部材の側面に取り付けられている。したがって、板バネ９６は、表示部材８４側に突出すると共にこの突出量が変位部材９０の長手方向端部（他端９０ｃ）から中央側へと漸次増大する弾性突起といえる。
【０１１５】
次に、バスダクト１００への分岐装置７０の取り付けに伴う正規取付け位置状態表示機構８０の動作を説明する。分岐装置７０のバスダクト１００への取り付けに伴い、変位部材９０の一端９０ａがバスダクト１００に当接し、図８（ｂ）に示すように、バネ材９４の付勢力に抗して矢印７００方向に押し戻される。
【０１１６】
これに伴い、表示部材８４の基端８４ａが板バネ９６に対して端部９６ｂ側（突出量の小なる部位）で接触する。そして、変位部材９０のさらなる箱体１２内方（矢印７００方向）への押し戻しに伴い、表示部材８４の基端８４ａは板バネ９６上を端部９６ｂ側（突出量の小なる部位）から突出部９６ａ（突出量の大なる部位）へと滑り移動することにより、図８（ｃ）に示すように、表示部材８４は図示左側（矢印８００方向）である突出方向、すなわち、先端８４ｃ方向に押し動かされて前壁１６から箱体１２外部へと突出する。
【０１１７】
このとき、板バネ９６は、図８（ｂ）の破線で示すように、ある程度変位部材９０が箱体１２内に押し戻された場合であっても表示部材８４の基端８４ａからの押圧力を弾性変形して吸収し、表示部材８４は先端８４ｃ方向に移動しないまま維持される。しかし、さらに変位部材９０が箱体１２内に押し込まれた場合に一気に板バネ９６の力が開放されて反発し、勢いよく表示部材８４が箱体１２外部へと突出する。反発した板バネ９６は通常の形状に戻り、表示部材８４の基端８４ａと突出部９６ａが当接し、表示部材８４の箱体１２外部への突出状態を維持する。
【０１１８】
なお、分岐装置７０をバスダクト１００から取り外すと、変位部材９０はバネ材９４の付勢力により底面１４から箱体１２外部へと突出し、表示部材８４は再び箱体１２内部へと引っ込む。
【０１１９】
すなわち、本実施の形態に係る正規取付け位置状態表示機構８０を有する分岐装置７０によれば、板バネ９６のある程度まで押圧力を弾性変形して吸収し、さらなる押圧力が加わった場合に一気に力を開放して反発するという特性を活用し、変位部材９０の箱体１２内への押し戻し量が、分岐装置７０のバスダクト１００への正規取り付け位置の状態に相当する量に達したときに板バネ９６を反発させて表示部材８４を箱体１２外部へと突出させるという調整が可能となっている。
【０１２０】
さらに、本実施の形態に係る分岐装置７０によれば、第１実施の形態の効果に加えて、通常バスダクトの分岐装置は金属製が主流であり、磁石を使用することによる不具合を回避することができる。
【０１２１】
なお、上記第２実施の形態では、変位部材９０の箱体１２内部への移動（図８（ｃ）における矢印７００方向への移動）に伴って表示部材８４は箱体１２外部へと突出する構成となっているが、これに限定されるものではなく、別の構成を採用することも可能である。
【０１２２】
以下に、分岐装置７０の正規取付け位置状態表示機構の構成を変更し、変位部材の箱体内部への移動に伴って外部に突出していた表示部材が内部に収納されることとした正規取付け位置状態表示機構の変形例に係る分岐装置７０を、図９を参照して説明する。図９において上述の図１〜図８に示した実施の形態と同様の要素には、同一の符号を付しその説明を省略する。図９は、第２実施の形態の変形例に係る正規取付け位置状態表示機構２１０の動作を説明する模式図である。
【０１２３】
図９に示すように、本変形例に係る正規取付け位置状態表示機構２１０は、第２実施の形態に係る正規取付け位置状態表示機構８０と比べて、棒状の変位部材９０−１が変位部材９０よりも図示上方に長く延在し、そのぶん板バネ９６−１が板バネ９６よりも図示上方に位置することとなった点において異なる。
【０１２４】
板バネ９６−１は、図９（ａ）に示すように、変位部材９０の一端９０ａがバスダクト１００の上面に接していない状態において突出部９６ａ−１が表示部材８４の基端８４ａに当接している。
【０１２５】
したがって、表示部材８４は、バネ材８８の付勢力に抗して同図（ａ）の左方向に押し動かされて箱体１２の外部へと突出した状態で維持されている。
【０１２６】
次に、バスダクト１００への分岐装置７０の取り付けに伴う正規取付け位置状態表示機構２１０の動作を説明する。分岐装置７０のバスダクト１００への取付けに伴い、変位部材９０−１の一端９０ａ−１がバスダクト１００に当接し、図９（ｂ）に示すように、バネ材９４の付勢力に抗して矢印７５０方向に押し戻される。
【０１２７】
これに伴い、同図（ｂ）に示すように、表示部材８４の基端８４ａが板バネ９６−１の突出部９６ａ−１（突出量の大なる部位）から端部９６ｃ−１側（突出量の小なる部位）へと滑り移動し、この滑り移動に伴って表示部材８４は図示右方向（矢印８５０方向）へと移動して箱体１２内部へと収納される。その後、図９（ｃ）に示すように、さらに変位部材９０−１は矢印７５０方向に移動し、表示部材８４の基端８４ａは完全に板バネ９６−１から離反し、表示部材８４は完全に箱体１２内部に収納される。
【０１２８】
本変形例にかかる正規取付け位置状態表示機構２１０を有する分岐装置７０によれば、分岐用導体を内包する箱体１２のバスダクト１００への取付け動作により、変位部材９０ａ−１の箱体１２に対する相対位置が変化し、変位部材９０ａ−１の相対位置の変化に伴って当初箱体１２外部に露出していた表示部材８４が箱体１２の内部に収納されることで、分岐装置７０のバスダクト１００への正規取付け位置状態を示すことができる。
【０１２９】
なお、分岐装置７０をバスダクト１００から取り出すと、変位部材９０−１はバネ材９４の付勢力により底面１４から箱体１２外部へと突出し、表示部材８４は再び箱体１２外部へと突出する。
【０１３０】
以上、本発明の実施の形態について説明したが、本発明は要旨の範囲内において、拡張及び変形が可能であり、各発明や実施の形態の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、例えば下記のような変形例も包含される。
【０１３１】
すなわち、上記実施の形態に係る分岐装置は、係止部材、一次側固定部材、二次側固定部材、取っ手等様々な構成要件が含まれているが、必須要件ではなく、表示部材と変位部材を有するものは全て含まれ、それぞれの構成要件の形状、大きさ、個数、位置等も限定されるものではない。
【０１３２】
また、バスダクトの構造、バスダクトユニットや接続ユニットの構造等も上記実施の形態に限定されず、また分岐する場所も上記実施の形態の接続ユニットの上部に限定されるものではなく、例えば、図８に示すように、空気絶縁型のバスダクトで、バスダクトユニットの中間位置で分岐を取る場合であっても良い。
【０１３３】
図１０は、空気絶縁バスダクト２００への分岐装置１６０の取り付けを説明するための図である。図１０（ａ）に示すように、空気絶縁バスダクト２００は、４相の帯板状の導体２０２が、一定間隔離間した状態でハウジング２０４内に収納されている。ハウジング２０４は、分岐装置１６０が取り付けられる箇所において図示しない開口部が形成されており、分岐装置１６０の分岐用端子１６２を挿入可能な構成となっている。
【０１３４】
分岐装置１６０は、分岐を行う分岐用導体を内包する箱体１６４と、箱体１６４の下面から突出する分岐用端子１６２及びこの分岐用端子１６２を保護するホルダ１６６と、分岐用端子１６２及びホルダ１６６の図示左右方向両側部に位置してバスダクト２００のハウジング２０４と係合し、分岐装置１６０をバスダクト２００に固定する固定部材１６８とで構成されている。
【０１３５】
箱体１６４の図示正面側には、２個の正面視円形の棒状の表示部材１７０の先端１７０ａが箱体１６４の図示正面部と略面一となっている状態が確認でき、箱体１６４の底面１６５からは、図示しないバネ部材により下方に付勢された２個の棒状の変位部材１７２が一端１７２ａ側から突出している状態が確認できる。
【０１３６】
表示部材１７０は、正面視円形の突出板１７４の図示しない突出孔から突出する。この態様は、上記第１及び第２実施の形態と同様であり、これにより、突出孔から突出する表示部材１７０の目視が容易となっている。
【０１３７】
正規取付け位置状態表示機構は、第１及び第２実施の形態のどちらであってもよいが、分岐装置１６０のバスダクト２００への正規取り付け位置状態（図１０（ｃ）参照）で２個の表示部材１７０が初めて突出する構成である必要がある。
【０１３８】
すなわち、分岐装置１６０がバスダクト２００のハウジング２０４に対して左下がり或いは右下がりに傾斜した状態で取り付けられ、左右の固定部材１６８のうち一方の固定部材１６８のみがハウジング２０４に係合されている場合は、２個の表示部材１７０のうち一方の表示部材のみが突出孔から突出し、他方の表示部材１７０は突出孔から突出しない。したがって、両方の固定部材１６８のハウジング２０４への係合状態、すなわち、確実にバスダクト２００への分岐装置の正規取り付け位置状態を確認することが可能となっている。
【０１３９】
なお、表示部材１７０は、分岐装置１６０がバスダクト２００のハウジング２０４に対して傾斜した状態での取り付けを防止できるように取り付けられていればよく、例えば、箱体１２の正面だけでなく背面にも２個設けて合計４個設ける構成としてもよく、又は一方を箱体１２正面に設け、他方を箱体１２背面に設ける構成としてもよい。
【０１４０】
また、表示部材或いは変位部材は必ずしも棒状である必要はなく、表示部材は分岐装置がバスダクトに取り付けられたことがわかるものであればどのようなものであっても良く、変位部材は分岐装置のバスダクトへの正規取り付け位置状態を示すことができるものあればどのようなものであっても良い。
【０１４１】
さらに、表示部材と変位部材は必ずしも一対一の関係である必要はない。例えば、１つの変位部材で複数の表示部材を表示可能としても良く、逆に、複数の変位部材のうち全ての変位部材によって分岐装置がバスダクトへの正規取り付け位置状態にあることが示されている状態で、１つの表示部材が表示される構成であっても良い。
【０１４２】
また、表示部材の形状、大きさ等は特に限定されるものではなく、例えば、図１１に示すように様々なものが考えられる。図１１において上述の図１〜図１０に示した実施の形態と同様の要素には、同一の符号を付しその説明を省略する。図１１は、第１実施の形態に係る表示部材６０の変形例を示す図である。
【０１４３】
図１１（ａ）に示すように、突出する表示部材６０’の先端６０ａ’を他の部分よりも大きくする構成であっても良く、正面からの目視がより容易になる。
【０１４４】
また、図１１（ｂ）に示すように、表示部材６０”の先端６０ａ”が４分割に割れており、弾性を有する部材を使用することにより、表示部材が突出すると４分割体が四方に折れ曲がり、十字状の表示形態が現れる構成であっても良く、表示部材が箱体内に収納されている時は、表示部材が目立たず、表示部材がその先端方向に移動した際に目立つ構成となり、正面からの目視がより容易になる。
【０１４５】
また、図１１（ｃ）に示すように、表示部材６０''’の棒状部６２''’が正面視十字形に形成する構成であっても良く、これによれば、表示部材の重量を増やすことなく、側面からの目視が容易となる。尚、棒状の表示部材を使用する場合は中空であることが望ましく、軽量化が実現でき、小さな磁力、或いは小さな板バネ力で本発明が実現可能となる。
【０１４６】
また、表示部材を蛍光色で製作すると好適であり、暗い場所で設置されているバスダクトの点検時にライトを当てることにより表示部材を目視確認することが容易となる。
【産業上の利用可能性】
【０１４７】
本発明のバスダクトの分岐装置は、高層ビルや工場等で電気幹線路として使用されるバスダクトの分岐を行う際に利用することができる。
【符号の説明】
【０１４８】
１０、７０、１６０  バスダクトの分岐装置
１２、１６４  箱体
３０  一次側固定部材（固定金具）
４２  分岐用端子（分岐用導体）
４４  端子台（分岐用導体）
４６  導体（分岐用導体）
４８  遮断器（分岐用導体）
５５、９０  変位部材
５９ａ、５９ａ−１  第２磁石（磁石）
５９ｂ、５９ｂ−１  第３磁石（磁石）
６０、６０’、６０'’、６０''’、８４  表示部材
６１ａ  第１磁石（磁石）
９６、９６−１  板バネ（弾性突起）
１００、２００  バスダクト
【図１】
0006654859.tif 000002
【図２】
0006654859.tif 000003
【図３】
0006654859.tif 000004
【図４】
0006654859.tif 000005
【図５】
0006654859.tif 000006
【図６】
0006654859.tif 000007
【図７】
0006654859.tif 000008
【図８】
0006654859.tif 000009
【図９】
0006654859.tif 000010
【図１０】
0006654859.tif 000011
【図１１】
0006654859.tif 000012
【図１２】
0006654859.tif 000013